(57)【特許請求の範囲】
【請求項１】
建物に設けられて横断面において建築構造体により区分された昇降路の一側を昇降するかご及び上記昇降路の他側を昇降するつり合おもりと、巻上機が設置されて上記昇降路の上記かごの上方に仮設された移動機械室と、上記巻上機の駆動綱車に巻掛けられて一端が上記つり合おもりに切離し自在に接続され他端は上記かごに配置された巻上ロープと、上記かごに設けられて上記巻上ロープの上記かご側の端部が巻き込まれ繰り出し自在に構成されて上記巻上ロープを所定長さにおいて固定する巻上ロープ繰出装置と、上記移動機械室に設けられて要時に巻上ロープを保持する巻上ロープ保持装置と、要時に上記移動機械室及びつり合いおもりに連結される揚重手段とを備え、
移動機械室を延長された昇降路の上端部に移動する際に、かごを昇降路の最下部まで下げ、かごが昇降しないようにするステップと、かごの巻上ロープ繰出装置のロープ保持を解除し、巻上ロープを繰出し可能状態にするステップと、巻上ロープ保持装置により巻上ロープを保持するステップと、つり合おもりに連結された巻上ロープを取外すステップと、建物の上部に設置されたクレーンにより、揚重手段を介して移動機械室及び巻上ロープから切離されたつり合いおもりを引上げ、移動機械室を延長された上方の階床に仮設するステップと、取外された巻上ロープをつり合おもりに連結するステップと、移動機械室の巻上ロープ保持装置の保持力を解除し、かごの巻上ロープ繰出装置により巻上ロープを保持するステップと、移動機械室及びつり合いおもりから揚重手段を撤去するステップと含むことを特徴とする工事用エレベーターの上昇移動方法。
【請求項２】
建物に設けられて横断面において建築構造体により区分された昇降路の一側を昇降するかご及び上記昇降路の他側を昇降するつり合おもりと、巻上機が設置されて上記昇降路の上記かごの上方に仮設された移動機械室と、上記巻上機の駆動綱車に巻掛けられて一端が上記つり合おもりに切離し自在に接続され他端は上記かごに配置された巻上ロープと、上記かごに設けられて上記巻上ロープの上記かご側の端部が巻き込まれ繰り出し自在に構成されて上記巻上ロープを所定長さにおいて固定する巻上ロープ繰出装置と、上記移動機械室に設けられて要時に巻上ロープを保持する巻上ロープ保持装置と、要時に上記移動機械室及びつり合いおもりにそれぞれ連結される移動機械室揚重用ロープ及びつり合いおもり揚重用ロープとを備え、
移動機械室を延長された昇降路の上端部に移動する際に、かごを昇降路の最下部まで下げ、かごが昇降しないようにするステップと、かごの巻上ロープ繰出装置のロープ保持を解除し、巻上ロープを繰出し可能状態にするステップと、巻上ロープ保持装置により巻上ロープを保持するステップと、つり合おもりに連結された巻上ロープを取外すステップと、建物の上部に設置されたクレーンにより、移動機械室揚重用ロープ及びつり合いおもり揚重用ロープを介して移動機械室及び巻上ロープから切離されたつり合いおもりを引上げ、移動機械室を延長された上方の階床に仮設するステップと、取外された巻上ロープをつり合おもりに連結するステップと、移動機械室の巻上ロープ保持装置の保持力を解除し、かごの巻上ロープ繰出装置により巻上ロープを保持するステップと、移動機械室及びつり合いおもりから移動機械室揚重用ロープ及びつり合いおもり揚重用ロープを撤去するステップと含むことを特徴とする工事用エレベーターの上昇移動方法。
【請求項３】
建物に設けられて横断面において建築構造体により区分された昇降路の一側を昇降するかご及び上記昇降路の他側を昇降するつり合おもりと、巻上機が設置されて上記昇降路の上記かごの上方に仮設された移動機械室と、上記巻上機の駆動綱車に巻掛けられて一端が上記つり合おもりに切離し自在に接続され他端は上記かごに配置された巻上ロープと、上記かごに設けられて上記巻上ロープの上記かご側の端部が巻き込まれ繰り出し自在に構成されて上記巻上ロープを所定長さにおいて固定する巻上ロープ繰出装置と、上記移動機械室に設けられて要時に巻上ロープを保持する巻上ロープ保持装置と、要時に両端部がそれぞれ上記つり合いおもり及び移動機械室に連結され、中間部が上記移動機械室位置よりも下方の上記昇降路の固定部に枢着された下部上昇移動滑車及び上記昇降路の最上部に枢着された上部上昇移動滑車に巻掛けられたつり合いおもり揚重用ロープとを備え、
移動機械室を延長された昇降路の上端部に移動する際に、かごを昇降路の最下部まで下げ、かごが昇降しないようにするステップと、かごの巻上ロープ繰出装置のロープ保持を解除し、巻上ロープを繰出し可能状態にするステップと、巻上ロープ保持装置により巻上ロープを保持するステップと、つり合おもりに連結された巻上ロープを取外すステップと、建物の上部に設置されたクレーンにより、移動機械室を引上げることにより、この移動機械室に連結されたつり合いおもり揚重用ロープを介して、巻上ロープから切離されたつり合いおもりを引上げ、移動機械室を延長された上方の階床に仮設するステップと、取外された巻上ロープをつり合おもりに連結するステップと、移動機械室の巻上ロープ保持装置の保持力を解除し、かごの巻上ロープ繰出装置により巻上ロープを保持するステップと、移動機械室及びつり合いおもりに連結されたつり合いおもり用揚重ロープを撤去するステップと含むことを特徴とする工事用エレベーターの上昇移動方法。
【発明の詳細な説明】
【０００１】
【発明の属する技術分野】
この発明は、建築工事が下層階から上層階へ進捗するに従って昇降行程が上方へ延長される工事用エレベーターの上昇移動方法に関する。
【０００２】
【従来の技術】
図９〜図１１は、例えば特開昭５７−３８２８３号公報に示された従来の工事用エレベーター装置に類似した工事用エレベーター装置を示す図で、図９は縦断面図、図１０は図９の工事用エレベーター装置の上昇移動状態を示す図、図１１は図９の工事用エレベーター装置の上昇移動後の状態を示す図である。図において、１は建物、２は建物１に設けられた昇降路で、上下に互いに離れて設置された梁からなる建築構造体３により横断面において区分されている。
【０００３】
４は建築構造体３により区分された昇降路２の一側を昇降するかご、５は建築構造体３により区分された昇降路２の他側を昇降するつり合おもり、６は昇降路２のかご４の上方に仮設された移動機械室で、吊り具７及び駆動綱車８を有する巻上機９が設けられている。１０は移動機械室６を支持する架台、１１は架台１０に設けられてつり合おもり５の上方に配置された滑車である。
【０００４】
１２は巻上ロープで、駆動綱車８及び滑車１１に巻掛けられて一端はかご４に他端はつり合おもり５に連結されている。１３は昇降路２の底部に設けられたかご衝突受、１４は昇降路２の底部に設けられたつり合おもり衝突受、１５は建物１の上部に設けられたクレーンで、１６はそれのクレーンロープ、１７は一端が移動機械室６の下部に他端はかご４に連結された揚重用鎖である。
【０００５】
従来の工事用エレベーター装置は上記のように構成され、建築工事中の建物１に構成された昇降路２の上端部に移動機械室６が仮設される。そして、巻上ロープ１２が駆動綱車８及び滑車１１に巻掛けられて図９に示すようにかご４及びつり合おもり５が吊持される。この状態で巻上機９が付勢されると巻上ロープ１２を介してかご４及びつり合おもり５が互いに反対方向へ運転される。
【０００６】
これによって、建築された建物１の階床に対応した昇降路２による昇降行程におけるエレベーターの工事用運転が行われる。そして、建築工事が進捗して昇降路２が上方に延長されると、移動機械室６が延長された昇降路２の上端部に移動される。この移動機械室６の上方移動には次に述べる作業が行われる。
【０００７】
すなわち、先ずつり合おもり５を昇降路２の最下部まで下げてつり合おもり衝突受１４に支持する。次いで、かご４を揚重用鎖１７によって移動機械室６に吊持して、かご４及びつり合おもり５から巻上ロープ１２を外して撤去する。そして、クレーン１５のクレーンロープ１６を吊り具７に連結して移動機械室６を吊持する。次いで、架台１０及び滑車１１が撤去され、これにより図１０に示す状態となる。
【０００８】
次に、クレーン１５により移動機械室６が延長された昇降路２の上端部に移動され、移動機械室６対応位置に架台１０及び滑車１１が再度仮設される。そして、巻上ロープ１２によりかご４及びつり合おもり５が再度吊持されて、揚重用鎖１７が撤去されて図１１に示す状態となる。これにより、延長された建物１の階床に対応した昇降路２による昇降行程におけるエレベーターの工事用運転が行われる。そして、建築工事の進捗に伴って移動機械室６の上方移動が繰り返され、建築工事の進捗に対応した昇降行程によるエレベーターの工事用運転を行うようになっている。
【０００９】
【発明が解決しようとする課題】
上記のような従来の工事用エレベーター装置において、かご４及びつり合おもり５の昇降経路が建築構造体３により区分されている。このため、巻上ロープ１２が建築構造体３を跨いで吊設されるので、移動機械室６の上方移動の都度、かご４及びつり合おもり５を共に巻上ロープ１２から外すことが必要となる。また、上方移動した移動機械室６の位置に対応した長さの巻上ロープ１２が上方移動の度毎に掛け替えられる。このため、移動機械室６の上方移動に煩雑な作業を要するという問題点があった。
【００１０】
この発明は、かかる問題点を解消するためになされたものであり、簡易な作業により、また少ない費用によって移動機械室の上方移動ができる工事用エレベーターの上昇移動方法及び工事用エレベーター装置を得ることを目的とする。
【００１１】
【課題を解決するための手段】
この発明に係る工事用エレベーターの上昇移動方法においては、建物に設けられて横断面において建築構造体により区分された昇降路の一側を昇降するかご及び昇降路の他側を昇降するつり合おもりと、巻上機が設置されて昇降路のかごの上方に仮設された移動機械室と、巻上機の駆動綱車に巻掛けられて一端がつり合おもりに切離し自在に接続され他端はかごに配置された巻上ロープと、かごに設けられて巻上ロープのかご側の端部が巻き込まれ繰り出し自在に構成されて巻上ロープを所定長さにおいて固定する巻上ロープ繰出装置と、移動機械室に設けられて要時に巻上ロープを保持する巻上ロープ保持装置と、要時に移動機械室及びつり合いおもりに連結される揚重手段とを備え、 移動機械室を延長された昇降路の上端部に移動する際に、かごを昇降路の最下部まで下げ、かごが昇降しないようにするステップと、かごの巻上ロープ繰出装置のロープ保持を解除し、巻上ロープを繰出し可能状態にするステップと、巻上ロープ保持装置により巻上ロープを保持するステップと、つり合おもりに連結された巻上ロープを取外すステップと、建物の上部に設置されたクレーンにより、揚重手段を介して移動機械室及び巻上ロープから切離されたつり合いおもりを引上げ、移動機械室を延長された上方の階床に仮設するステップと、取外された巻上ロープをつり合おもりに連結するステップと、移動機械室の巻上ロープ保持装置の保持力を解除し、かごの巻上ロープ繰出装置により巻上ロープを保持するステップと、移動機械室及びつり合いおもりから揚重手段を撤去するステップと含むものである。
【００１２】
また、建物に設けられて横断面において建築構造体により区分された昇降路の一側を昇降するかご及び昇降路の他側を昇降するつり合おもりと、巻上機が設置されて昇降路のかごの上方に仮設された移動機械室と、巻上機の駆動綱車に巻掛けられて一端がつり合おもりに切離し自在に接続され他端はかごに配置された巻上ロープと、かごに設けられて巻上ロープのかご側の端部が巻き込まれ繰り出し自在に構成されて巻上ロープを所定長さにおいて固定する巻上ロープ繰出装置と、移動機械室に設けられて要時に巻上ロープを保持する巻上ロープ保持装置と、要時に移動機械室及びつり合いおもりにそれぞれ連結される移動機械室揚重用ロープ及びつり合いおもり揚重用ロープとを備え、移動機械室を延長された昇降路の上端部に移動する際に、かごを昇降路の最下部まで下げ、かごが昇降しないようにするステップと、かごの巻上ロープ繰出装置のロープ保持を解除し、巻上ロープを繰出し可能状態にするステップと、巻上ロープ保持装置により巻上ロープを保持するステップと、つり合おもりに連結された巻上ロープを取外すステップと、建物の上部に設置されたクレーンにより、移動機械室揚重用ロープ及びつり合いおもり揚重用ロープを介して移動機械室及び巻上ロープから切離されたつり合いおもりを引上げ、移動機械室を延長された上方の階床に仮設するステップと、取外された巻上ロープをつり合おもりに連結するステップと、移動機械室の巻上ロープ保持装置の保持力を解除し、かごの巻上ロープ繰出装置により巻上ロープを保持するステップと、移動機械室及びつり合いおもりから移動機械室揚重用ロープ及びつり合いおもり揚重用ロープを撤去するステップと含むものである。
【００１３】
また、建物に設けられて横断面において建築構造体により区分された昇降路の一側を昇降するかご及び昇降路の他側を昇降するつり合おもりと、巻上機が設置されて昇降路のかごの上方に仮設された移動機械室と、巻上機の駆動綱車に巻掛けられて一端がつり合おもりに切離し自在に接続され他端はかごに配置された巻上ロープと、かごに設けられて巻上ロープのかご側の端部が巻き込まれ繰り出し自在に構成されて巻上ロープを所定長さにおいて固定する巻上ロープ繰出装置と、移動機械室に設けられて要時に巻上ロープを保持する巻上ロープ保持装置と、要時に両端部がそれぞれつり合いおもり及び移動機械室に連結され、中間部が移動機械室位置よりも下方の昇降路の固定部に枢着された下部上昇移動滑車及び昇降路の最上部に枢着された上部上昇移動滑車に巻掛けられたつり合いおもり揚重用ロープとを備え、移動機械室を延長された昇降路の上端部に移動する際に、かごを昇降路の最下部まで下げ、かごが昇降しないようにするステップと、かごの巻上ロープ繰出装置のロープ保持を解除し、巻上ロープを繰出し可能状態にするステップと、巻上ロープ保持装置により巻上ロープを保持するステップと、つり合おもりに連結された巻上ロープを取外すステップと、建物の上部に設置されたクレーンにより、移動機械室を引上げることにより、この移動機械室に連結されたつり合いおもり揚重用ロープを介して、巻上ロープから切離されたつり合いおもりを引上げ、移動機械室を延長された上方の階床に仮設するステップと、取外された巻上ロープをつり合おもりに連結するステップと、移動機械室の巻上ロープ保持装置の保持力を解除し、かごの巻上ロープ繰出装置により巻上ロープを保持するステップと、移動機械室及びつり合いおもりに連結されたつり合いおもり用揚重ロープを撤去するステップと含むものである。
【００１４】
【発明の実施の形態】
実施の形態１．
図１〜図４は、この発明の実施の形態の一例を示す図で、図１は縦断面図、図２は図１の工事用エレベーター装置の上昇移動状態を示す図、図３は図１の工事用エレベーター装置の上昇移動後の状態を示す図、図４は図１の工事用エレベーター装置の上昇移動の手順を説明する工程図である。図において、１は建物、２は建物１に設けられた昇降路で、上下に互いに離れて設置された梁からなる建築構造体３により横断面において区分されている。
【００１５】
４は建築構造体３により区分された昇降路２の一側を昇降するかご、５は建築構造体３により区分された昇降路２の他側を昇降するつり合おもり、６は昇降路２のかご４の上方に仮設された移動機械室で、吊り具７及び駆動綱車８を有する巻上機９が設けられている。１０は移動機械室６を支持する架台、１１は架台１０に設けられてつり合おもり５の上方に配置された滑車である。
【００１６】
１３は昇降路２の底部に設けられたかご衝突受、１４は昇降路２の底部に設けられたつり合おもり衝突受、１５は建物１の上部に設けられたクレーンで、１６はそれのクレーンロープである。１８は巻上ロープで、駆動綱車８及び滑車１１に巻掛けられて一端はかご４に他端はつり合おもり５に連結されている。１９はかご４に設けられて巻上ロープ１８のかご４側の端部が巻き込まれ繰り出し自在に構成されて巻上ロープ１８を所定長さにおいて固定する巻上ロープ繰出装置である。
【００１７】
２０はクレーンロープ１６の下端に設けられた揚重具、２１は両端がそれぞれ揚重具２０及び移動機械室６の吊り具７に連結された移動機械室揚重用ロープ、２２は両端がそれぞれ揚重具２０及びつり合おもり５に連結されたつり合おもり揚重用ロープである。２３は移動機械室６に設けられて要時に巻上ロープ１８を保持する巻上ロープ保持装置である。
【００１８】
上記のように構成された工事用エレベーター装置において、建築工事中の建物１に構成された昇降路２の上端部に移動機械室６が仮設される。そして、巻上ロープ１８が駆動綱車８及び滑車１１に巻掛けられて巻上ロープ繰出装置１９を介してかご４に連結され、またつり合おもり５に連結されて図１に示す状態となる。そして、巻上機９が付勢されると巻上ロープ１８を介してかご４及びつり合おもり５が互いに反対方向へ運転される。
【００１９】
これによって、建築された建物１の階床に対応した昇降路２による昇降行程におけるエレベーターの工事用運転が行われる。そして、建築工事が進捗して昇降路２が上方に延長されると、移動機械室６が延長された昇降路２の上端部に移動される。この移動機械室６の上方移動作業手順を図４に示す工程図により説明する。
【００２０】
すなわち、ステップ１０１によりかご４を昇降路２の最下部まで下げてかご衝突受１３に支持して昇降しないようにする。次いでステップ１０２によりクレーンロープ１６の揚重具２０に、移動機械室揚重用ロープ２１により移動機械室６を連結し、またつり合おもり揚重用ロープ２２よりつり合おもりを連結する。そして、ステップ１０３へ進みかご４の巻上ロープ繰出装置１９の巻上ロープ１８保持を解除して巻上ロープ１８を繰出し可能状態とする。
【００２１】
次に、ステップ１０４へ進んで移動機械室６の巻上ロープ保持装置２３により巻上ロープ１８を保持し、移動機械室６からの巻上ロープ１８の落下を防ぐ。そして、ステップ１０５によりつり合おもり５に連結された巻上ロープ１８を外して移動機械室６内に引き込み、架台１０及び滑車１１が撤去されて図２に示す状況となる。次いで、ステップ１０６へ進みクレーン１５によりつり合おもり５及び移動機械室６が引上げられる。
【００２２】
そして、移動機械室６が延長された昇降路２の上端部の階床に移動され、移動機械室６対応位置に架台１０及び滑車１１が再度仮設される。次に、ステップ１０７へ進んで、移動機械室６内に引き込まれていた巻上ロープ１８を繰出してつり合おもり５に連結する。そして、ステップ１０８により移動機械室６の巻上ロープ保持装置２３による巻上ロープ１８の保持を解除し、またかご４の巻上ロープ繰出装置１９により巻上ロープ１８を保持する。
【００２３】
次いで、ステップ１０９へ進んで、クレーンロープ１６の揚重具２０、移動機械室揚重用ロープ２１及びつり合おもり揚重用ロープ２２を撤去して図３に示す状態となる。これにより、延長された建物１の階床に対応した昇降路２による昇降行程におけるエレベーターの工事用運転が行われる。そして、建築工事の進捗に伴って移動機械室６の上方移動が繰り返され、建築工事の進捗に対応した昇降行程によるエレベーターの工事用運転が行われる。
【００２４】
要するに、建物１の上部に設けられたクレーン１５によって、つり合おもり５が巻上ロープ１８から切離された状態の移動機械室６及びつり合おもり５の少なくとも上方を経由するつり合おもり揚重用ロープ２２を介して巻上ロープ１８から切離された状態のつり合おもり５を揚重するものである。
【００２５】
このような装置構成又は装置構成による工事用エレベーターの上昇移動方法によって、移動機械室６の上方移動に際してかご４とつり合おもり５のうち、つり合おもり５のみを巻上ロープ１８から外すだけで済み作業を簡略化することができる。また、移動機械室６の最終上方移動位置に対応した長さの巻上ロープ１８が巻上ロープ繰出装置１９に収容される。このため、移動機械室６の上方移動の都度、所要長さを巻上ロープ繰出装置１９から繰出すことにより対応できる。
【００２６】
したがって、無駄な巻上ロープ１８を準備することがなく、作業が簡易化すると共に、費用を低減することができる。
また、クレーン１５によりつり合おもり５及び移動機械室６が同時に引上げられるので、建物側のクレーン１５の使用時間を短縮することができる。
【００２７】
また、揚重具２０を介してつり合おもり５及び移動機械室６が引上げられる。このため、建築構造体３により移動機械室６側に比べて昇降路２の開口部が狭くなっているつり合おもり５側において、クレーン１５のクレーンロープ１６によりつり合おもり５を直接に揚重することがなく、クレーン１５のクレーンロープ１６を上方の開口部から昇降路２内に吊下する必要がない。したがって、クレーンロープ１６を建築構造体３等の固定物に接触させて損傷する不具合を防ぐことができる。
【００２８】
また、かご４を昇降路２の最下部に支持して巻上ロープ繰出装置１９から巻上ロープ１８を繰出すので、移動機械室６の引上げにより所要長さが自動的に繰出される。また、移動機械室６の上方移動の都度、新たに巻上ロープ１８を手配する必要がなく、作業が容易にでき作業を能率化することができる。
【００２９】
実施の形態２．
図５及び図６は、この発明の他の実施の形態の一例を示す図で、図５は工事用エレベーター装置の上昇移動状態を示す図であり前述の図２相当図、図６は図５の工事用エレベーター装置の上昇移動の手順を説明する工程図である。図において、図１〜図４と同符号は相当部分を示す。
【００３０】
２４は昇降路２最上部の建築構造体３の上側に枢着されてつり合おもり５の直上位置に配置された上部上昇移動滑車、２５は移動機械室６の仮設位置よりも下方に配置された建築構造体３の下側に枢着された下部上昇移動滑車で、二つの滑車が回転軸線を互いに平行に、かつ互いに離れて配置されて構成されている。２６は上部上昇移動滑車２４及び下部上昇移動滑車２５に巻掛けられて両端がそれぞれつり合おもり５及び移動機械室６の下部に連結されたつり合おもり揚重用ロープである。
【００３１】
上記のように構成された工事用エレベーター装置において、前述の図１〜図４の工事用エレベーター装置と同様に、建築工事中の建物１に構成された昇降路２の上端部に移動機械室６が仮設される。そして、巻上ロープ１８が駆動綱車８及び滑車１１に巻掛けられて巻上ロープ繰出装置１９を介してかご４に連結され、またつり合おもり５に連結されて図１に示す状態となる。そして、巻上機９が付勢されると巻上ロープ１８を介してかご４及びつり合おもり５が互いに反対方向へ運転される。
【００３２】
これによって、建築された建物１の階床に対応した昇降路２による昇降行程におけるエレベーターの工事用運転が行われる。そして、建築工事が進捗して昇降路２が上方に延長されると、移動機械室６が延長された昇降路２の上端部に移動される。この移動機械室６の上方移動作業手順を図６に示す工程図により説明する。
【００３３】
すなわち、ステップ２０１により上部上昇移動滑車２４及び下部上昇移動滑車２５が設置される。そして、ステップ２０２によりかご４を昇降路２の最下部まで下げてかご衝突受１３に支持して昇降しないようにする。次いでステップ２０３によりつり合おもり揚重用ロープ２６を上部上昇移動滑車２４及び下部上昇移動滑車２５に巻掛けて両端をそれぞれつり合おもり５及び移動機械室６の下部に連結する。
【００３４】
次いで、ステップ２０４へ進み、かご４の巻上ロープ繰出装置１９の巻上ロープ１８保持を解除して巻上ロープ１８を繰出し可能状態とする。次に、ステップ２０５へ進んで移動機械室６の巻上ロープ保持装置２３により巻上ロープ１８を保持し、移動機械室６からの巻上ロープ１８の落下を防ぐ。そして、ステップ２０６によりつり合おもり５に連結された巻上ロープ１８を外して移動機械室６内に引き込み、架台１０及び滑車１１が撤去されて図５に示す状態となる。
【００３５】
次いで、ステップ２０７へ進みクレーンロープ１６を吊り具７に連結してクレーン１５により移動機械室６を引上げる。これにより、つり合おもり５もつり合おもり揚重用ロープ２６を介して引上げられる。そして、移動機械室６が延長された昇降路２の上端部の階床に移動され、移動機械室６対応位置に架台１０及び滑車１１が再度仮設される。
【００３６】
次に、ステップ２０８へ進んで、移動機械室６内に引き込まれていた巻上ロープ１８を繰出してつり合おもり５に連結する。そして、ステップ２０９により移動機械室６の巻上ロープ保持装置２３による巻上ロープ１８の保持を解除し、またかご４の巻上ロープ繰出装置１９により巻上ロープ１８を保持する。
【００３７】
次いで、ステップ２１０へ進んで、つり合おもり揚重用ロープ２６、上部上昇移動滑車２４及び下部上昇移動滑車２５が撤去される。これにより、延長された建物１の階床に対応した昇降路２による昇降行程におけるエレベーターの工事用運転が行われる。そして、建築工事の進捗に伴って移動機械室６の上方移動が繰り返され、建築工事の進捗に対応した昇降行程によるエレベーターの工事用運転が行われる。
【００３８】
要するに、建物１の上部に設けられたクレーン１５によって、つり合おもり５が巻上ロープ１８から切離された状態の移動機械室６及びつり合おもり５の少なくとも上方を経由するつり合おもり揚重用ロープ２６を介して巻上ロープ１８から切離された状態のつり合おもり５を揚重するものである。
【００３９】
したがって、詳細な説明を省略するが図５及び図６の実施の形態における装置構成又は装置構成による工事用エレベーターの上昇移動方法によって、前述の図１〜図４の実施の形態と同様な作用を得ることができる。
【００４０】
また、図５及び図６の実施の形態において、移動機械室６の移動前の工事用エレベーターの運転に支障なく上部上昇移動滑車２４を設置することができる。また、下部上昇移動滑車２５は移動機械室６の上昇移動ごとに必ずしも撤去する必要はなく、移動機械室６の上昇移動作業が容易にでき作業を能率化することができる。
【００４１】
また、つり合おもり揚重用ロープ２６によりつり合おもり５を移動機械室６に連結して移動機械室６の揚重と共につり合おもり５を揚重することができる。このため、建物側のクレーン１５の使用時間を短縮することができる。
また、図１〜図４の実施の形態におけるかご揚重用ロープ２１が省略されるので、移動機械室６の上昇移動作業の手数が減少する。
【００４２】
また、つり合おもり５がつり合おもり揚重用ロープ２６を介してクレーンロープ１６により間接的に吊持されてクレーン１５によって引き上げられる。このため、建築構造体３により移動機械室６側に比べて昇降路２の開口部が狭くなっているつり合おもり５側において、クレーン１５のクレーンロープ１６を建築構造体３等の固定物に接触させて損傷する不具合を防ぐことができる。
【００４３】
実施の形態３．
図７も、この発明の他の実施の形態の一例を示す工事用エレベーター装置の上昇移動状態を示す図で、前述の図２相当図である。図において、図５と同符号は相当部分を示し、２５は昇降路２の底面に設置されて建築構造体３の直下位置に配置された下部上昇移動滑車である。
【００４４】
この図７の実施の形態においても、上部上昇移動滑車２４及び下部上昇移動滑車２５に巻掛けられて両端がそれぞれつり合おもり５及び移動機械室６の下部に連結されたつり合おもり揚重用ロープ２６が設けられる。
【００４５】
そして、建物１の上部に設けられたクレーン１５によって、つり合おもり５が巻上ロープ１８から切離された状態の移動機械室６及びつり合おもり５の少なくとも上方を経由するつり合おもり揚重用ロープ２６を介して巻上ロープ１８から切離された状態のつり合おもり５が揚重される。したがって、詳細な説明を省略するが図７の実施の形態においても、図５及び図６の実施の形態と同様な作用が得られる。
【００４６】
実施の形態４．
図８も、この発明の他の実施の形態の一例を示す工事用エレベーター装置の上昇移動状態を示す図で、前述の図２相当図である。図において、図５と同符号は相当部分を示し、２４は上部上昇移動滑車で、二つの滑車が回転軸線を互いに平行に、かつ互いに離れて配置されて構成され、昇降路２最上部の建築構造体３の上側に設けられて建築構造体３の上面に対応して配置されている。２５は昇降路２の底面に設置されて昇降路２におけるかご４の区分内に配置された下部上昇移動滑車である。
【００４７】
この図８の実施の形態においても、上部上昇移動滑車２４及び下部上昇移動滑車２５に巻掛けられて両端がそれぞれつり合おもり５及び移動機械室６の下部に連結されたつり合おもり揚重用ロープ２６が設けられる。
【００４８】
そして、建物１の上部に設けられたクレーン１５によって、つり合おもり５が巻上ロープ１８から切離された状態の移動機械室６及びつり合おもり５の少なくとも上方を経由するつり合おもり揚重用ロープ２６を介して巻上ロープ１８から切離された状態のつり合おもり５が揚重される。したがって、詳細な説明を省略するが図８の実施の形態においても、図５及び図６の実施の形態と同様な作用が得られる。
【００４９】
【発明の効果】
この発明は以上説明したように、建物に設けられて横断面において建築構造体により区分された昇降路の一側を昇降するかご及び昇降路の他側を昇降するつり合おもりと、巻上機が設置されて昇降路のかごの上方に仮設された移動機械室と、巻上機の駆動綱車に巻掛けられて一端がつり合おもりに切離し自在に接続され他端はかごに配置された巻上ロープと、かごに設けられて巻上ロープのかご側の端部が巻き込まれ繰り出し自在に構成されて巻上ロープを所定長さにおいて固定する巻上ロープ繰出装置と、移動機械室に設けられて要時に巻上ロープを保持する巻上ロープ保持装置と、要時に移動機械室及びつり合いおもりに連結される揚重手段とを備え、移動機械室を延長された昇降路の上端部に移動する際に、かごを昇降路の最下部まで下げ、かごが昇降しないようにするステップと、かごの巻上ロープ繰出装置のロープ保持を解除し、巻上ロープを繰出し可能状態にするステップと、巻上ロープ保持装置により巻上ロープを保持するステップと、つり合おもりに連結された巻上ロープを取外すステップと、建物の上部に設置されたクレーンにより、揚重手段を介して移動機械室及び巻上ロープから切離されたつり合いおもりを引上げ、移動機械室を延長された上方の階床に仮設するステップと、取外された巻上ロープをつり合おもりに連結するステップと、移動機械室の巻上ロープ保持装置の保持力を解除し、かごの巻上ロープ繰出装置により巻上ロープを保持するステップと、移動機械室及びつり合いおもりから揚重手段を撤去するステップと含むものである。
【００５０】
これによって、移動機械室の上方移動に際してつり合おもりのみを巻上ロープから外すだけで済み作業を簡略化することができる。また、建物側のクレーンによりつり合おもり及び移動機械室が同時に引上げられるので、建物側のクレーンの使用時間を短縮することができる。また、かごを昇降路の最下部に支持して巻上ロープ繰出装置から巻上ロープを繰出すので、移動機械室の引上げにより所要長さの巻上ロープが自動的に繰出される。したがって、移動機械室の上方移動作業が容易にでき能率を向上する効果がある。
【００５１】
また、この発明は以上説明したように、建物に設けられて横断面において建築構造体により区分された昇降路の一側を昇降するかご及び昇降路の他側を昇降するつり合おもりと、巻上機が設置されて昇降路のかごの上方に仮設された移動機械室と、巻上機の駆動綱車に巻掛けられて一端がつり合おもりに切離し自在に接続され他端はかごに配置された巻上ロープと、かごに設けられて巻上ロープのかご側の端部が巻き込まれ繰り出し自在に構成されて巻上ロープを所定長さにおいて固定する巻上ロープ繰出装置と、移動機械室に設けられて要時に巻上ロープを保持する巻上ロープ保持装置と、要時に移動機械室及びつり合いおもりにそれぞれ連結される移動機械室揚重用ロープ及びつり合いおもり揚重用ロープとを備え、移動機械室を延長された昇降路の上端部に移動する際に、かごを昇降路の最下部まで下げ、かごが昇降しないようにするステップと、かごの巻上ロープ繰出装置のロープ保持を解除し、巻上ロープを繰出し可能状態にするステップと、巻上ロープ保持装置により巻上ロープを保持するステップと、つり合おもりに連結された巻上ロープを取外すステップと、建物の上部に設置されたクレーンにより、移動機械室揚重用ロープ及びつり合いおもり揚重用ロープを介して移動機械室及び巻上ロープから切離されたつり合いおもりを引上げ、移動機械室を延長された上方の階床に仮設するステップと、取外された巻上ロープをつり合おもりに連結するステップと、移動機械室の巻上ロープ保持装置の保持力を解除し、かごの巻上ロープ繰出装置により巻上ロープを保持するステップと、移動機械室及びつり合いおもりから移動機械室揚重用ロープ及びつり合いおもり揚重用ロープを撤去するステップと含むものである。
【００５２】
これによって、移動機械室の上方移動に際してつり合おもりのみを巻上ロープから外すだけで済み作業を簡略化することができる。また、建物側のクレーンによりつり合おもり及び移動機械室が同時に引上げられるので、建物側のクレーンの使用時間を短縮することができる。また、かごを昇降路の最下部に支持して巻上ロープ繰出装置から巻上ロープを繰出すので、移動機械室の引上げにより所要長さの巻上ロープが自動的に繰出される。
【００５３】
また、建物側のクレーンのクレーンロープを上方の開口部から昇降路内に吊下する必要がなく、クレーンロープを建築構造体等の固定物に接触させて損傷する不具合を防ぐことができる。したがって、移動機械室の上方移動作業が容易にでき能率を向上する効果がある。
【００５４】
また、この発明は以上説明したように、建物に設けられて横断面において建築構造体により区分された昇降路の一側を昇降するかご及び昇降路の他側を昇降するつり合おもりと、巻上機が設置されて昇降路のかごの上方に仮設された移動機械室と、巻上機の駆動綱車に巻掛けられて一端がつり合おもりに切離し自在に接続され他端はかごに配置された巻上ロープと、かごに設けられて巻上ロープのかご側の端部が巻き込まれ繰り出し自在に構成されて巻上ロープを所定長さにおいて固定する巻上ロープ繰出装置と、移動機械室に設けられて要時に巻上ロープを保持する巻上ロープ保持装置と、要時に両端部がそれぞれつり合いおもり及び移動機械室に連結され、中間部が移動機械室位置よりも下方の昇降路の固定部に枢着された下部上昇移動滑車及び昇降路の最上部に枢着された上部上昇移動滑車に巻掛けられたつり合いおもり揚重用ロープとを備え、移動機械室を延長された昇降路の上端部に移動する際に、かごを昇降路の最下部まで下げ、かごが昇降しないようにするステップと、かごの巻上ロープ繰出装置のロープ保持を解除し、巻上ロープを繰出し可能状態にするステップと、巻上ロープ保持装置により巻上ロープを保持するステップと、つり合おもりに連結された巻上ロープを取外すステップと、建物の上部に設置されたクレーンにより、移動機械室を引上げることにより、この移動機械室に連結されたつり合いおもり揚重用ロープを介して、巻上ロープから切離されたつり合いおもりを引上げ、移動機械室を延長された上方の階床に仮設するステップと、取外された巻上ロープをつり合おもりに連結するステップと、移動機械室の巻上ロープ保持装置の保持力を解除し、かごの巻上ロープ繰出装置により巻上ロープを保持するステップと、移動機械室及びつり合いおもりに連結されたつり合いおもり用揚重ロープを撤去するステップと含むものである。
【００５５】
これによって、移動機械室の上方移動に際してつり合おもりのみを巻上ロープから外すだけで済み作業を簡略化することができる。また、建物側のクレーンによりつり合おもり及び移動機械室が同時に引上げられるので、建物側のクレーンの使用時間を短縮することができる。また、かごを昇降路の最下部に支持して巻上ロープ繰出装置から巻上ロープを繰出すので、移動機械室の引上げにより所要長さの巻上ロープが自動的に繰出される。また、移動機械室の上昇移動時にかご揚重用ロープが不要であるので作業を簡易化することができる。したがって、移動機械室の上方移動作業が容易にでき能率を向上する効果がある。
【図面の簡単な説明】
【図１】  この発明の実施の形態１を示す縦断面図。
【図２】  図１の工事用エレベーター装置の上昇移動状態を示す図。
【図３】  図１の工事用エレベーター装置の上昇移動後の状態を示す図。
【図４】  図１の工事用エレベーター装置の上昇移動の手順を説明する工程図。
【図５】  この発明の実施の形態２を示す工事用エレベーター装置の上昇移動状態を示す図で、前述の図１相当図。
【図６】  図５の工事用エレベーター装置の上昇移動の手順を説明する工程図。
【図７】  この発明の実施の形態３を示す工事用エレベーター装置の上昇移動状態を示す図で、前述の図１相当図。
【図８】  この発明の実施の形態４を示す工事用エレベーター装置の上昇移動状態を示す図で、前述の図１相当図。
【図９】  従来の工事用エレベーター装置を示す縦断面図。
【図１０】  図９の工事用エレベーター装置の上昇移動状態を示す図。
【図１１】  図９の工事用エレベーター装置の上昇移動後における状態を示す図。
【符号の説明】
１  建物、２  昇降路、３  建築構造体、４  かご、５  つり合おもり、６  移動機械室、８  駆動綱車、９  巻上機、１５  クレーン、１８  巻上ロープ、１９  巻上ロープ繰出装置、２１  かご揚重用ロープ、２２  つり合おもり揚重用ロープ、２６  つり合おもり揚重用ロープ。
【図１】
0003807775.tif 000002
【図２】
0003807775.tif 000003
【図３】
0003807775.tif 000004
【図４】
0003807775.tif 000005
【図５】
0003807775.tif 000006
【図６】
0003807775.tif 000007
【図７】
0003807775.tif 000008
【図８】
0003807775.tif 000009
【図９】
0003807775.tif 000010
【図１０】
0003807775.tif 000011
【図１１】
0003807775.tif 000012